(57)【要約】【課題】ＲＥＣモードにおいて、入力操作を行った場合には、ビープ音等の操作音を発生させずに、タッチパネルを振動或いは変位させて触覚的に入力操作が行われたことを表示する撮像装置を提供する。【解決手段】撮像装置１は、映像記録部と、音声記録部と、映像表示部と、タッチパネル１３に対する接触または押圧により入力操作を行うタッチパネル入力装置４と、該タッチパネル入力装置により入力操作が行われたときに作動する振動発生部１４と、を備えている。再生モード時において、タッチパネル入力装置４で入力操作を行った時に振動発生部１４によって、ビープ音等の操作音と触覚振動を発生させる。ＲＥＣモードにおいて、タッチパネル１３による入力操作を行った時には、ビープ音等の操作音を発生させずに、振動発生部１４によって、タッチパネルに触覚振動のみを発生させる。【選択図】図２
2007094993.tif 000002
【特許請求の範囲】
【請求項１】
映像記録部と、音声記録部と、映像を表示する映像表示部と、を備え、映像および音声の記録と、記録した映像および音声の再生が可能な電子機器に設けられて、タッチパネルに対する接触または押圧により入力操作を行うとともに、入力操作が行われたことを振動発生部の振動で表示するタッチパネル入力装置であって、
再生モード時において、タッチパネルによる入力操作を行った時に、前記振動発生部によって、所定の操作音と触覚振動を発生させ、記録モード時において、タッチパネルによる入力操作を行った時に、前記振動発生部によって、前記タッチパネルに前記所定の操作音と触覚振動のうち触覚振動を発生させることを特徴とするタッチパネル入力装置。
【請求項２】
映像記録部と、音声記録部と、映像表示部と、タッチパネルに対する接触または押圧により入力操作を行うタッチパネル入力装置と、該タッチパネル入力装置により入力操作が行われたときに作動する振動発生部と、を備え、映像および音声の記録と、記録した映像および音声の再生が可能な撮像装置であって、
再生モード時において、タッチパネル入力装置で入力操作を行った時に、前記振動発生部によって、所定の操作音と触覚振動を発生させ、記録モード時において、タッチパネルによる入力操作を行った時に、前記振動発生部によって、前記タッチパネルに前記所定の操作音と触覚振動のうち触覚振動を発生させることを特徴とする撮像装置。
【請求項３】
前記振動発生部は、前記タッチパネルの下方に配置されていることを特徴とする請求項２に記載の撮像装置。
【請求項４】
前記振動発生部は、前記タッチパネルの側方に配置されていることを特徴とする請求項２に記載の撮像装置。
【請求項５】
前記振動発生部によって、前記音声記録部で再生した音声の再生音を発生するようにしたことを特徴とする請求項２に記載の撮像装置。
【発明の詳細な説明】
【技術分野】
【０００１】
本発明はタッチパネルに触れることにより情報の入力を行うタッチパネル入力装置および該タッチパネル入力装置を使用してモードの切替え等を行う所謂カムコーダ等の撮像装置に関するものである。
【背景技術】
【０００２】
ＶＴＲ（ビデオテープレコーダー）は、映像と音声を同時に記録するとともに、記録した映像を液晶等のモニター表示部（以下、液晶表示部と称する）で再生可能になっている。また、ＶＴＲには、モニターにタッチパネル入力装置を設け、該タッチパネル入力装置でモードの切替え等を行うようにしたものが知られている。（例えば特許文献１）
タッチパネル入力装置は、表示部に表示されたボタン等のタッチ表示部に接触或いは押圧して操作するもので、実際にスイッチボタンを押す場合のように操作感（クリック感）に乏しいため操作後においても、確実に操作されたかのか否か不安感を感じやすい。そこで、入力操作が行われた時に、所謂ビープ音等の操作音を発生させて、聴覚的に入力操作が行われたことを知らせたり、或いはタッチ表示部の形状を変化させたりして視覚的にも入力操作が行われたことを知らせる工夫が為されている。しかし、これらの方法では、入力操作後の不安感を払拭するまでには至っていない。
【０００３】
そこで、圧電アクチュエータ使用し、タッチパネルにより入力操作が行われた時に、前記圧電アクチュエータによりタッチパネルを振動或いは変位させて、クリック感を出すようにしたタッチパネル入力装置も開発されている。（例えば特許文献２）
【特許文献１】特開２００３−２３４９３４号公報
【特許文献２】特開２００５−１４９１９７号公報
【発明の開示】
【発明が解決しようとする課題】
【０００４】
ところで、上記タッチパネル入力装置やＶＴＲ等の撮像装置において、映像や音声を記録している記録モード（ＲＥＣモード）において、ビープ音等の操作音を発生させた場合には、前記操作音が録音されてしまう虞がある。
【０００５】
本発明は、ＲＥＣモードにおいて、入力操作を行った場合には、ビープ音等の操作音を発生させずに、タッチパネルを振動或いは変位させて触覚的に入力操作が行われたことを表示し、再生モードにおいては、圧電アクチュエータでビープ音等の操作音を発生させて入力操作が行われたことを聴覚的に表示するとともに圧電アクチュエータでタッチパネルを振動或いは変位させて入力操作が行われたことを触覚的にも表示し、これら聴覚的表示と触覚的表示により、入力操作後の不安感を払拭することのできるタッチパネル入力装置および撮像装置を提供することにある。
【課題を解決するための手段】
【０００６】
本発明は、映像記録部と、音声記録部と、映像を表示する映像表示部と、を備え、映像および音声の記録と、記録した映像および音声の再生が可能な電子機器に備えられて、タッチパネルに対する接触または押圧により入力操作を行うとともに、入力操作が行われたことを振動発生部の振動で表示するタッチパネル入力装置であって、
再生モード時において、タッチパネルによる入力操作を行った時に、前記振動発生部によって、所定の操作音と触覚振動を発生させ、記録モード時において、タッチパネルによる入力操作を行った時に、前記振動発生部によって、前記タッチパネルに前記所定の操作音と触覚振動のうち触覚振動を発生させた。
【０００７】
また、本発明は、映像記録部と、音声記録部と、映像表示部と、タッチパネルに対する接触または押圧により入力操作を行うタッチパネル入力装置と、該タッチパネル入力装置により入力操作が行われたときに作動する振動発生部と、を備え、映像および音声の記録と、記録した映像および音声の再生が可能な撮像装置であって、
再生モード時において、タッチパネル入力装置で入力操作を行った時に、前記振動発生部によって、所定の操作音と触覚振動を発生させ、記録モード時において、タッチパネルによる入力操作を行った時に、前記振動発生部によって、前記タッチパネルに前記所定の操作音と触覚振動のうち触覚振動を発生させた。
【０００８】
また、本発明は、タッチパネル入力装置並びに撮像装置において、タッチパネルの下方または側方に振動発生部を配置した。
【発明の効果】
【０００９】
本発明のタッチパネル入力装置および撮像装置は、再生モード時において、ビープ音は録音されることはないので、タッチパネルによる入力操作の際に、前記振動発生部によって、ビープ音等の所定の操作音を発生させ、更にタッチパネルを触覚振動させるので、聴覚と触覚とにより入力操作が行われたことを確認することができる。また、記録モード時においては、入力操作の際にビープ音等の操作音が発生すると、該操作音は録音されてしまう可能性があるので、操作音を発生させずに、タッチパネルを触覚振動させることによって触覚によって入力操作が行われたことを触覚的に表示できる。
【００１０】
前記振動発生部をタッチパネルの下方に配置した場合に、タッチパネルに対する操作力は、前記振動発生部によって発生した振動を抑圧する方向に働くので、振動発生部によって発生した振動を敏感に感じることが可能になる。反面、前記振動発生部を振動させてビープ音を発生させる場合には、振動発生部の振動が抑制され、ビープ音等の操作音が小さくなる虞がある。前記振動発生部をタッチパネルの側方に配置することにより、タッチパネルに対する操作力によって操作音が抑制されるのを防止することができる。
【発明を実施するための最良の形態】
【００１１】
図１はタッチパネル入力装置を備えた電子機器としての撮像装置を示す斜視図であり、該撮像装置はＶＴＲ（ビデオテープレコーダー）として構成されている。ＶＴＲ１は、撮像レンズ２を備えた映像記録部と、マイクロホン３を備えた音声記録部と、タッチパネル入力装置４と、ビューファインダー５と、各種の操作ボタンを備えた操作部６等を備えている。
【００１２】
図２に示すように、前記タッチパネル入力装置４は、画像表示部としてのＬＣＤ（Ｌｉｑｕｉｄ  ｃｒｙｓｔａｌ  ｄｉｓｐｌａｙ  ｄｅｖｉｃｅ）１１と、バックライト１２と、前記ＬＣＤ１１の上面側に配置されたタッチパネル１３と、前記バックライト１２の側方で、且つ前記ＬＣＤ１１の下方に配置された振動発生部１４と、前記バックライト１２および振動発生部１４の下面側に配置されていてこれらを支持している板金１５と、該板金１５の下面側に配置されたプリント基板１６と、前記ＬＣＤ１１、バックライト１２、タッチパネル１３、振動発生部１４、板金１５、プリント基板１６を重ね合わせた状態でその周縁部を挟着、保持している枠状のベゼル１７と、を備えている。
【００１３】
前記タッチパネル入力装置４は、前記ＬＣＤ１１に表示されているタッチ表示部２０…２０（図１参照）にタッチして入力操作を行うと、該タッチパネル入力装置４内に組み込まれている振動発生部１４（図２参照）を作動させてビープ音等の所定の操作音（以下、ビープ音と総称する）を発生させ、或いはタッチパネルを震わせて操作者にクリック感等を付与する。（以下、クリック感等を付与する有感振動を触覚振動と称する）。
【００１４】
前記タッチパネル１３は、操作者による入力操作を検出するセンサ（図示省略）を備えている。前記センサには、例えば抵抗膜式センサ等が使用され、前記振動発生部１４には、バイモルフ等を使用した圧電アクチュエータが使用されている。
【００１５】
図３に示すように、前記振動発生部１４としての圧電アクチュエータは、積層型の圧電素子１４ａ，１４ｂの間に弾性を有する銅や燐青銅等の基板１４ｃを介在させることにより構成されている。前記基板１４ｃの一端部付近には第１、第２の引出し電極１４ｄ，１４ｅが設けられていて、これら第１、第２の引出し電極１４ｄ，１４ｅから前記圧電素子１４ａ，１４ｂに電圧を印加する。前記圧電アクチュエータは、前記第１、第２の引出し電極１４ｄ，１４ｅ間の電位差が０のときは湾曲せず、電位差を大きくするに連れて湾曲量が大になるとともに、電圧の極性を反転させることにより、湾曲方向を反転させることができる。また、駆動電圧の電圧（振幅）、周波数等を制御することにより圧電アクチュエータの湾曲量、湾曲周期、振動周波数等を変化させることができる。
【００１６】
前記圧電アクチュエータは、圧電素子１４ａの上部の中央部に振動作用部１４ｆを備えている。前記振動作用部１４ｆは、前記ＬＣＤ１１を介して前記タッチパネル１３に接触している。また、圧電素子１４ｂの下部の両側部には一対の脚部１４ｇ，１４ｈが設けられている。これら一対の脚部１４ｇ，１４ｈは、前記板金１５に支持されている。前記圧電アクチュエータの湾曲等は、前記振動作用部１４ｆを介して前記ＬＣＤ１１および前記タッチパネル１３に伝達される。
【００１７】
図４はＶＴＲ１の概略構成を示すブロック図である。ＶＴＲ１は、前記撮像レンズ２やマイクロホン３、タッチパネル入力装置４、操作部６のほかに、第１信号処理部（画像信号処理部）２１、第２信号処理部（音声信号処理部）２２、第３信号処理部（総合信号処理部）２３、記録媒体としてのビデオテープ２４、メモリーカード２５、ＬＣＤ１１のドライブ部２６、アクチュエータ駆動部２７等を備えている。そして、記録モードにおいては、映像と音声を記録し、再生モードにおいては、前記ビデオテープ２４やメモリーカード２５に記録した映像を再生可能になっている。前記記録モードと再生モードの切替えは、前記操作部６の操作ボタン等を押圧操作することにより行われる。
【００１８】
前記ＬＣＤ１１には前述したように停止ボタン、一時停止ボタン等の各種のタッチ表示部２０…２０が表示されている。前記ＬＣＤ１１上に重ね合わされているタッチパネル１３の前記タッチ表示部２０に触れて入力操作を行うと、該入力操作はタッチパネル１３に設けたセンサにより検出されて第３信号処理部（総合信号処理部）２３に入力される。そして、前記第３信号処理部（総合信号処理部）２３から振動発生部駆動信号が出されて振動発生部１４が駆動される。
【００１９】
例えば、再生モード時において、タッチ表示部２０への入力操作を行うと、先ず前記第３信号処理部（総合信号処理部）２３から振動発生部１４を５００Ｈｚから４ＫＨｚで振動させるための第１の駆動信号が発せられる。次に、第１の駆動信号に続いて、前記振動発生部１４を５０Ｈｚから４００Ｈｚで振動させるための第２の駆動信号が発せられる。
【００２０】
前記第１の駆動信号によって前記振動発生部１４が５００Ｈｚから４ＫＨｚで振動すると、該振動は圧電素子１４ａの上部の中央部に設けた振動作用部１４ｆを介して前記ＬＣＤ１１およびタッチパネル１３に伝達され、これらＬＣＤ１１およびタッチパネル１３によって増幅されたビープ音となって音響によって入力操作が行われたことを表示する。また、前記第２の駆動信号によって前記振動発生部１４が５０Ｈｚから４００Ｈｚで振動すると、該振動は圧電素子１４ａの上部の中央部に設けた振動作用部１４ｆを介して前記ＬＣＤ１１およびタッチパネル１３に伝達され、クリック感を発生させる触覚振動（有感振動）となって、触覚的にも入力操作が行われたことを表示するのである。
【００２１】
一方、記録モードにおいて録音中にビープ音を発生させると、該ビープ音が録音されてしまう虞がある。従って、記録モードにおいては、前記振動発生部１４を５００Ｈｚから４ＫＨｚで振動させるための駆動信号は発生させずに、前記振動発生部１４を５０Ｈｚから４００Ｈｚで振動させるための駆動信号のみを発生させる。これによって記録モードにおいてビープ音が録音されるのを未然に防止するのである。
【００２２】
図５は、タッチパネルによる入力操作が行われた場合のフローの一例を示す。タッチパネルの入力操作が行われた場合に、ビープ音発生モードか否を判定し、ＮＯの場合には前記振動発生部１４にクリック感を発生させる触覚振動を発生させる。ＹＥＳの場合には、録音中か否かを判定し、ＮＯの場合には前記振動発生部１４にビープ音および触覚振動を発生させる。ＹＥＳの場合には、ビープ音は発生させずに触覚振動のみを発生させる。これによって、録音中にタッチパネルによる入力操作が行われた場合においても、ビープ音が録音されるのを未然に防止するのである。
【００２３】
上記実施例においては、図２に示すように、前記振動発生部１４を、ＬＣＤ１１およびバックライト１２の下方に配置したので、タッチパネル１３を押圧すると、前記振動発生部１４の振動が抑制されて、ビープ音が小さくなる虞がある。
【００２４】
そこで、図６に示すように、前記振動発生部１４を、タッチパネル１３やＬＣＤ１１等の側方に配置することにより、タッチパネル１３への入力操作の際に、振動発生部１４の振動が抑制されるを防いでビープ音が小さくなるのを防止する。前記振動発生部１４が発するビープ音は、図７、図８に示すように、音響ダクト３１を通してタッチパネル１３の上面側に導かれる。
【００２５】
なお、上記実施例では、振動発生部１４として圧電アクチュエータを使用した場合を示したが、図９に示すように、振動発生部１４にボイスコイル式のバイブレーションスピーカを用いても良い。ボイスコイル式のバイブレーションスピーカは、図１０に示すように、キャップ状のケース４１と、該ケース４１内に板バネ４２を介して取り付けられた円柱状のマグネット４３と、該マグネット４３の外側に配置されたコイル４４と、該コイル４４を取付けた振動板４５と、を備えている。前記マグネット４３の先端部と振動板４５の間には隙間δが存在している。
【００２６】
そして、前記コイル４４に通電することにより前記振動板４５を微振動させてビープ音を発生させ、或いは前記振動板４５を大きく振動させてクリック感を与える触覚振動を発生させるようになっている。前記ビープ音は、ベゼル１７の底面に設けた開口部１７ａを介してベゼル１７の外部に導かれる。また、触覚振動は、前記ＬＣＤ１１等を介してタッチパネル１３に伝達される。
【００２７】
前記実施例においては、撮像装置として、ＶＴＲを例にとって説明したが撮像装置は、図１１に示すようなデジタルスチルカメラであっても良い。デジタルスチルカメラは、第１の主面（前面）側に撮像レンズ２を備え、第２の主面（背面）側に
タッチパネル入力装置４を備えている。そして、ＬＣＤ１１に表示されているタッチ表示部２０…２０にタッチして入力操作を行うと、該タッチパネル入力装置４内に組み込まれている振動発生部を作動させてビープ音を発生させ、或いはタッチパネルを震わせて操作者にクリック感を付与するようになっている。前記タッチパネル入力装置４の構成は、前記ＶＴＲの場合と略同じであるので重複する説明は省略する。なお、上記実施例では、画像表示部にＬＣＤ１１を用いた場合を示したが、画像表示部は有機ＥＬ等であっても良い。
【図面の簡単な説明】
【００２８】
【図１】本発明のタッチパネル入力装置を備えたＶＴＲの斜視図。
【図２】タッチパネル入力装置の略示的断面図。
【図３】圧電アクチュエータの斜視図。
【図４】本発明のタッチパネル入力装置を備えたＶＴＲのブロック図。
【図５】フローの一例を示す説明図。
【図６】本発明のタッチパネル入力装置の他の実施例の断面図。
【図７】圧電アクチュエータの斜視図。
【図８】圧電アクチュエータの断面図。
【図９】ボイスコイル式のバイブレーションスピーカを使用したタッチパネル入力装置の断面図。
【図１０】ボイスコイル式のバイブレーションスピーカの一部破断面図。
【図１１】本発明のデジタルスチルカメラの斜視図。
【符号の説明】
【００２９】
１…撮像装置（ＶＴＲ）、２…撮像レンズ、３…マイクロホン、４…タッチパネル入力装置、１１…ＬＣＤ、１２…バックライト、１３…タッチパネル、１４…振動発生部（圧電アクチュエータ）、２０…タッチ表示部。
【図１】
2007094993.tif 000003
【図２】
2007094993.tif 000004
【図３】
2007094993.tif 000005
【図４】
2007094993.tif 000006
【図５】
2007094993.tif 000007
【図６】
2007094993.tif 000008
【図７】
2007094993.tif 000009
【図８】
2007094993.tif 000010
【図９】
2007094993.tif 000011
【図１０】
2007094993.tif 000012
【図１１】
2007094993.tif 000013